(57)【特許請求の範囲】
【請求項１】
透明なシート状部材の少なくとも一方の面に、前記シート状部材の対向する２つの端縁間の全長にわたる凸条状の複数のプリズム部が互いに平行に形成され、且つ、前記シート状部材の周縁に沿った予め定めた幅の縁部領域のうちの前記複数のプリズム部の両端側の２つの縁部領域にそれぞれ、隣合う前記プリズム部の間の谷状部にその開放端から入り込む液状物の前記谷状部に沿った伝い流れを阻止するための流れ止め部が形成されており、
前記流れ止め部は、複数のプリズム部を横切る方向に沿って谷状部よりも深く形成された流れ止め溝からなっていることを特徴とするプリズムシート。
【請求項２】
複数のプリズム部の両端側の２つの端縁にそれぞれ、プリズムシート支持部に支持される突出部が形成されており、前記流れ止め部は、少なくとも前記突出部に対応する部分に形成されていることを特徴とする請求項１に記載のプリズムシート。
【請求項３】
前記流れ止め部は、複数のプリズム部の両端側の２つの縁部領域の略全長にわたって形成されていることを特徴とする請求項１または２に記載のプリズムシート。
【請求項４】
流れ止め溝の両端にそれぞれ、前記流れ止め溝に沿って伝い流れた液状物の受け入れ部が形成されていることを特徴とする請求項１または３に記載のプリズムシート。
【請求項５】
前記流れ止め溝は、複数のプリズム部の両端側の２つの縁部領域の略全長にわたって形成されており、液状物の受け入れ部は、他の２つの縁部領域にそれぞれ、前記複数のプリズム部の長さ方向と平行に、且つ両端を前記複数のプリズム部の両端側の前記流れ止め溝にそれぞれ連通させて形成された液状物受け入れ溝からなっていることを特徴とする請求項４に記載のプリズムシート。
【請求項６】
前記流れ止め部は、複数のプリズム部の両端側の２つの縁部領域内に、前記複数のプリズムの長さ方向に間隔をおいて複数段に形成されていることを特徴とする請求項１〜３のいずれかに記載のプリズムシート。
【発明の詳細な説明】
【技術分野】
【０００１】
この発明はプリズムシートに関する。
【背景技術】
【０００２】
透明なシート状部材の一方の面に、前記シート状部材の対向する２つの端縁間の全長にわたる凸条状の複数のプリズム部が互いに平行に形成されたプリズムシートは、例えば、液晶表示素子の観察側とは反対側に配置された面光源からの照射光を予め定めた方向に向けて前記液晶表示素子に入射させるための光学素子として利用されている（特許文献１参照）。
【特許文献１】特開２００３−１００１２６号公報
【発明の開示】
【発明が解決しようとする課題】
【０００３】
前記プリズムシートは、例えば前記液晶表示素子と面光源との間に、前記プリズムシートの縁部をプリズムシート支持部に支持させて実装されるが、前記プリズムシート支持部に液状物が付着していると、その液状物が、隣合う前記プリズム部の間の谷状部にその開放端から入り込み、さらに前記谷状部に沿って伝い流れて、前記プリズム部を出射する光が不均一になるという問題があった。
【０００４】
この発明は、複数のプリズム部の間の谷状部にその開放端から入り込む液状物の前記谷状部に沿った伝い流れを防ぎ、前記プリズム部を出射する光の均一性を維持することができるプリズムシートを提供することを目的としたものである。
【課題を解決するための手段】
【０００５】
この発明の請求項１に記載のプリズムシートは、透明なシート状部材の少なくとも一方の面に、前記シート状部材の対向する２つの端縁間の全長にわたる凸条状の複数のプリズム部が互いに平行に形成され、且つ、前記シート状部材の周縁に沿った予め定めた幅の縁部領域のうちの前記複数のプリズム部の両端側の２つの縁部領域にそれぞれ、隣合う前記プリズム部の間の谷状部にその開放端から入り込む液状物の前記谷状部に沿った伝い流れを阻止するための流れ止め部が形成されており、前記流れ止め部は、複数のプリズム部を横切る方向に沿って谷状部よりも深く形成された流れ止め溝からなってることを特徴とする。
【０００６】
請求項２に記載の発明は、前記請求項１に記載のプリズムシートにおいて、前記複数のプリズム部の両端側の２つの端縁にそれぞれ、プリズムシート支持部に支持される突出部が形成されており、前記流れ止め部は、少なくとも前記突出部に対応する部分に形成されていることを特徴とする。
【０００７】
請求項３に記載の発明は、前記請求項１または２に記載のプリズムシートにおいて、前記流れ止め部は、前記複数のプリズム部の両端側の２つの縁部領域の略全長にわたって形成されていることを特徴とする。
【０００９】
請求項４に記載の発明は、前記請求項１または３に記載のプリズムシートにおいて、前記流れ止め溝の両端にそれぞれ、前記流れ止め溝に沿って伝い流れた液状物の受け入れ部が形成されていることを特徴とする。
【００１０】
請求項５に記載の発明は、前記請求項５に記載のプリズムシートにおいて、前記流れ止め溝は、前記複数のプリズム部の両端側の２つの縁部領域の略全長にわたって形成されており、前記液状物の受け入れ部は、他の２つの縁部領域にそれぞれ、前記複数のプリズム部の長さ方向と平行に、且つ両端を前記複数のプリズム部の両端側の前記流れ止め溝にそれぞれ連通させて形成された液状物受け入れ溝からなっていることを特徴とする。
【００１２】
請求項６に記載の発明は、前記請求項１〜３のいずれかに記載のプリズムシートにおいて、前記流れ止め部は、前記複数のプリズム部の両端側の２つの縁部領域内に、前記複数のプリズムの長さ方向に間隔をおいて複数段に形成されていることを特徴とする。
【発明の効果】
【００１３】
この発明のプリズムシートによれば、複数のプリズム部の間の谷状部にその開放端から入り込む液状物の前記谷状部に沿った伝い流れを防ぎ、前記プリズム部を出射する光の均一性を維持することができる。
【発明を実施するための最良の形態】
【００１４】
（第１の実施形態）
図１〜図５はこの発明の第１の実施例を示しており、図１は、プリズムシートを備えた液晶表示モジュールの断面図である。
【００１５】
この液晶表示モジュールは、ハウジング１と、前記ハウジング１内に配置された液晶表示素子６と、前記ハウジング１内に前記液晶表示素子６の観察側（図１において上側）とは反対側の面に対向させて配置され、前記液晶表示素子６に向けて照明光を照射する面光源１５と、前記面光源１５からの照射光を予め定めた方向に向けて前記液晶表示素子６に入射させるために、前記面光源１５と液晶表示素子６との間に互いに重ねて配置された２枚のプリズムシート２２，２５とを備えている。
【００１６】
前記ハウジング１は、樹脂成形品からなる矩形枠状のハウジング本体２と、前記ハウジング本体２の観察側とは反対側の開口面を閉塞する金属板からなる底板５とにより構成されており、前記ハウジング本体２の内周面に、前記液晶表示素子６の周縁部を観察側とは反対側から支持するための棚板状の表示素子支持部３と、前記２枚のプリズムシート２２，２５の周縁部を支持するための溝状のプリズムシート支持部４が形成されている。
【００１７】
前記液晶表示素子６は、予め定めた間隙を設けて対向配置され、画面エリア（図示せず）に対応する領域を囲む枠状のシール材９を介して接合された観察側とその反対側の一対の透明基板７，８と、これらの基板７，８間の間隙の前記シール材９により囲まれた領域に封入された液晶層１０と、前記一対の基板７，８の外面にそれぞれ配置された観察側とその反対側の一対の偏光板１１，１２とからなっている。
【００１８】
この液晶表示素子６は、例えばＴＦＴ（薄膜トランジスタ）をアクティブ素子としたアクティブマトリックス液晶表示素子であり、図１では省略しているが、前記一対の基板７，８の互いに対向する内面の一方、例えば観察側とは反対側の基板８の内面に、マトリックス状に配列させて形成された複数の透明な画素電極と、これらの画素電極にそれぞれ対応させて配置され、対応する画素電極に接続された複数のＴＦＴと、各行のＴＦＴにゲート信号を供給する複数の走査線と、各列のＴＦＴにデータ信号を供給する複数の信号線とが設けられ、観察側の基板７の内面に、前記複数の画素電極の配列領域に対向する一枚膜状の透明な対向電極が設けられている。
【００１９】
なお、図では省略しているが、前記観察側基板７の内面には、前記複数の画素電極と対向電極とが互いに対向する領域からなる複数の画素にそれぞれ対応させて、赤、緑、青の３色のカラーフィルタが設けられており、前記対向電極は、前記カラーフィルタの上に形成されている。また、前記一対の基板７，８の内面には、前記電極を覆って配向膜が設けられており、前記液晶層１０の液晶分子は、前記一対の基板７，８間において、前記配向膜により規定される配向状態に配向している。
【００２０】
また、前記反対側の基板８には、観察側基板７の外方に張出すドライバ搭載部７ａが形成されており、前記複数の走査線と信号線は、前記ドライバ搭載部７ａに搭載された表示ドライバ１３に接続され、前記対向電極は、前記シール材９による基板接合部に設けられた図示しないクロス接続部と前記ドライバ搭載部７ａに形成された図示しない対向電極接続線を介して対向電極電位の供給源に接続されている。
【００２１】
そして、前記液晶表示素子６は、前記ハウジング１内に、前記液晶表示素子６の周縁部を前記表示素子支持部３に載置して配置され、この液晶表示素子６の周縁部を観察側から押える押え部材１４により固定されている。
【００２２】
前記面光源１５は、前記液晶表示素子６の画面エリアよりも大きい面積を有する矩形板状の透明部材からなり、その１つの端面に、光を入射させる入射面１７が形成され、２つの板面の一方に、前記入射面１７から入射した光の出射面１８が形成され、他方の板面に、前記入射面１７から入射した光を前記出射面１８に向けて反射する反射膜１９が設けられた導光板１６と、前記導光板１６の入射面１７に対向させて配置され、前記導光板１６の入射面１７に向けて光を発するＬＥＤ（発光ダイオード）等からなる複数の発光素子２０と、前記導光板１６の出射面１８上に形成された拡散層２１とにより構成されている。
【００２３】
この面光源１５は、前記ハウジング１内に、前記導光板１６の出射面１８を前記液晶表示素子６に対向させて配置され、前記導光板１６の反対面（反射膜１９の外面）を前記ハウジング１の底板５上に支持されている。
【００２４】
前記面光源１５は、前記複数の発光素子２０が発する光を前記導光板１６により導いてその出射面１８から前記液晶表示素子６に向けて照射するものであり、前記複数の発光素子２０からの光は、前記導光板１６にその入射面１７から入射して前記導光板１６内を導かれ、前記反射膜１９により反射されて出射面１８の全域から出射し、さらに前記拡散層２１により拡散されて前記液晶表示素子６側に出射する。
【００２５】
また、前記２枚のプリズムシート２２，２５はそれぞれ、前記液晶表示素子６の画面エリアよりも大きい面積を有する矩形板状に形成されたアクリル樹脂等からなる透明なシート状部材２３，２６の一方の面に、その全域にわたって、凸条状の複数のプリズム部２４，２７が、前記液晶表示素子６の画素の配列ピッチよりも小さいピッチで互いに平行に形成されたものであり、これらのプリズムシート２２，２５のうちの前記面光源１５に対向する側に配置された第１のプリズムシート２２の複数のプリズム部２４は、前記面光源の導光板１６の導光方向（入射端面１７から反対側の端面に向かう方向）に対して実質的に直交する方向に沿った凸条状に形成され、前記液晶表示素子６に対向する側に配置された第２のプリズムシート２５の複数のプリズム部２７は、前記導光板１６の導光方向と実質的に平行な方向（第１のプリズムシート２２の複数のプリズム部２４の長さ方向に対して実質的に直交する方向）に沿った凸条状に形成されている。
【００２６】
図２は前記第１のプリズムシート２２の平面図であり、このプリズムシート２２の複数のプリズム部２４は、前記シート状部材２３の前記面光源１５と対向する面とは反対面に、前記シート状部材２３の周縁のうちの前記導光板１６の導光方向（図２において左右方向）に対して実質的に直交する方向において対向する２つの端縁間、つまり前記導光板１６の入射面１７側とその反対側とにそれぞれ対応する２つの端縁間の全長にわたって形成されている。
【００２７】
さらに、この第１のプリズムシート２２は、前記シート状部材２３の周縁のうちの他の２つの端縁、つまり前記複数のプリズム部２４の長さ方向と平行な２つの端縁の複数箇所、例えば２箇所にそれぞれ形成された突出部２３ａを有しており、前記複数のプリズム部２４は、前記突出部２３ａにも、他の領域のプリズム部２４と平行に形成されている。
【００２８】
図３及び図４は前記第２のプリズムシート２５の平面図及びその一部分の拡大斜視図であり、このプリズムシート２５の複数のプリズム部２７は、前記シート状部材２６の前記液晶表示素子６と対向する面に、前記シート状部材２６の周縁のうちの前記導光板１６の導光方向（図３において左右方向）と実質的に平行な方向において対向する２つの端縁間の全長にわたって形成されている。
【００２９】
さらに、この第２のプリズムシート２５は、前記シート状部材２６の周縁のうちの前記複数のプリズム部２７の両端側の２つの端縁の複数箇所、例えば２箇所に、前記第１のプリズムシート２２の突出部２３ａにそれぞれ対応させて形成された突出部２６ａを有しており、前記複数のプリズム部２７のうちの前記突出部２６ａに対応する領域の各プリズム部２７は、前記突出部２６ａの端縁まで延長されて形成されている。
【００３０】
また、この第２のプリズムシート２５には、前記液晶表示素子６の画面エリアに対応する領域よりも外側の領域、つまり、前記シート状部材２６の周縁に沿った予め定めた幅の縁部領域のうちの前記複数のプリズム部２７の両端側の２つの縁部領域にそれぞれ、隣合う前記プリズム部２７，２７の間の谷状部２８にその開放端から入り込む液状物の前記谷状部２８に沿った伝い流れを阻止するための流れ止め部２９が形成されている。
【００３１】
前記流れ止め部２９は、前記複数のプリズム部２７を横切る方向に沿って前記谷状部２８よりも深く形成された流れ止め溝からなっており、この流れ止め部（以下、流れ止め溝という）２９は、少なくとも前記突出部２６ａに対応する部分に形成されている。この実施例では、前記流れ止め溝２９を、前記複数のプリズム部２７の両端側の２つの縁部領域の略全長にわたって形成している。
【００３２】
さらに、前記流れ止め溝２９の両端にはそれぞれ、前記流れ止め溝２９に沿って伝い流れた液状物の受け入れ部３０が形成されている。この液状物受け入れ部３０は、他の２つの縁部領域（流れ止め溝２９が形成された縁部領域に対して直交する縁部領域）にそれぞれ、前記複数のプリズム部２７の長さ方向と平行に、且つ両端を前記複数のプリズム部２７の両端側の前記流れ止め溝２９，２９にそれぞれ連通させて形成された液状物受け入れ溝からなっている。
【００３３】
この液状物受け入れ部（以下、液状物受け入れ溝という）３０は、前記他の２つの縁部領域内にそれぞれ、前記流れ止め溝２９と同じ深さか、或いはそれよりも深く形成されており、前記複数のプリズム部２７の両端側の前記流れ止め溝２９，２９はそれぞれ、前記他の２つの縁部領域それぞれの液状物受け入れ溝３０，３０の間の全長にわたって形成されている。
【００３４】
そして、前記第１と第２のプリズムシート２２，２５は、図１のように互いに重ねられ、これらのプリズムシート２２，２５に形成された前記突出部２３ａ，２６ａを、前記ハウジング本体２の内周面に形成された溝状のプリズムシート支持部４に挿入することにより、前記プリズムシート支持部４に支持されている。
【００３５】
前記第１と第２のプリズムシート２２，２５は、前記面光源１５からの照射光（導光板１６の出射面１８から出射し、拡散層２１により拡散された光）を予め定めた方向、例えば正面方向（液晶表示素子６の法線付近の方向）向けて前記液晶表示素子６に入射させるために配置されており、前記第１のプリズムシート２２は、前記面光源１５からの照射光のうちの前記導光板１６の導光方向と平行な方向、つまり前記第１のプリズムシート２２の複数のプリズム部２４の長さ方向に対して直交する方向に沿った方向に向かう照射光を前記正面方向に屈折させて出射し、前記第２のプリズムシート２５は、前記面光源１５からの照射光のうちの前記導光板１６の導光方向に対して直交する方向、つまり前記第２のプリズムシート２５の複数のプリズム部２７の長さ方向に対して直交する方向に沿った方向に向かう照射光を前記正面方向に屈折させて出射する。
【００３６】
ところで、前記第１と第２のプリズムシート２２，２５のうちの第２のプリズムシート２５の複数のプリズム部２７は、前記プリズムシート支持部４に支持される突出部２６ａが形成された２つの端縁間の全長にわたって形成され、これらのプリズム部２７のうちの前記突出部２６ａに対応する領域の各プリズム部２７が前記突出部２６ａの端縁まで延長されているため、前記ハウジング本体２のプリズムシート支持部４内に、例えば前記ハウジング本体２の成形金型に塗布された離型剤等の油、あるいは洗浄時の水分等の残留物等の液状物が付着していると、その液状物が、前記突出部２６ａに対応する領域の隣合うプリズム部２７，２７間の谷状部２８にその開放端から入り込む。
【００３７】
しかし、前記第２のプリズムシート２５は、前記複数のプリズム部２７の両端側の２つの縁部領域にそれぞれ流れ止め溝２９が形成されているため、前記隣合うプリズム部２７，２７間の谷状部２８にその開放端から入り込んだ液状物の前記谷状部２８に沿った伝い流れを防ぎ、前記プリズム部２７の屈折特性や透過率を維持することができる。
【００３８】
図５は前記第２のプリズムシート２５の前記プリズムシート支持部４に支持された部分の拡大平面図、図６は前記流れ止め溝２９を有しない比較例のプリズムシート２５´の前記プリズムシート支持部４に支持された部分の拡大平面図である。
【００３９】
図６のように、比較例のプリズムシート２５´では、前記ハウジング本体２のプリズムシート支持部４内に液状物３２が付着していると、その液状物３２が、隣合うプリズム部２７，２７間の谷状部２８にその開放端から入り込み、さらに前記谷状部２８に沿って伝い流れて、前記液晶表示素子６の画面エリアに対応する領域に進入し、その領域のプリズム部２７の屈折特性や透過率に影響を及ぼす。
【００４０】
そのため、この比較例のプリズムシート２５´を備えた表示モジュールは、液晶表示素子６の画面エリアのうちの前記プリズムシート２５´の液状物３２が進入した領域に対応する部分の出射光強度が゛他の部分と異なって不均一になり、表示不良が発生する。
【００４１】
それに対して、前記実施例の第２のプリズムシート２５は、図５のように、前記プリズムシート支持部４に支持された突出部２６ａに延長された各プリズム部２７，２７間の谷状部２８にその開放端から液状物３２が入り込んでも、その液状物３２が、前記流れ止め溝２９によりそれ以上の前記谷状部２８に沿った伝い流れを阻止され、前記流れ止め溝２９内をその長さ方向に伝い流れるため、前記プリズム部２７の前記流れ止め溝２９よりも内側の部分の屈折特性や透過率を維持することができる。
【００４２】
しかも、前記第２のプリズムシート２５は、前記流れ止め溝２９を、前記複数のプリズム部２７の両端側の２つの縁部領域の略全長にわたって形成しているため、前記各プリズム部２７，２７間の谷状部２８にその開放端から入り込んだ液状物３２のほとんどを、前記流れ止め溝２９の長さ方向に流し、前記液状物３２が前記流れ止め溝２９から溢れ出して前記流れ止め溝２９よりも内側の谷状部２８に進入するのを防止することができる。
【００４３】
また、前記第２のプリズムシート２５は、前記流れ止め溝２９の両端にそれぞれ、前記流れ止め溝２９に沿って伝い流れた液状物の受け入れ溝３０を形成しているため、前記流れ止め溝２９からの液状物３２の溢れ出しをより効果的に防ぐことができる。
【００４４】
さらに、前記第２のプリズムシート２５は、前記液状物受け入れ溝３０を、前記流れ止め溝２９が形成された縁部領域に対して直交する２つの縁部領域にそれぞれ、前記複数のプリズム部２７の長さ方向と平行に、且つ両端を前記複数のプリズム部２７の両端側の前記流れ止め溝２９，２９にそれぞれ連通させて形成しているため、前記谷状部２８にその開放端から入り込んだ液状物３２の量が多くても、その液状物３２を余裕をもって受け入れることができる。
【００４５】
（第２の実施形態）
図７及び図８はこの発明の第２の実施例を示す第２のプリズムシートの平面図及びその一部分の拡大斜視図である。
【００４６】
このプリズムシート２５ａは、複数のプリズム部２７の両端側の２つの縁部領域内に、前記複数のプリズム部２７の長さ方向に間隔をおいて複数段に流れ止め部を形成したものであり、この実施例では、２つの縁部領域内にそれぞれ、２つの流れ止め部２９ａ，２９ｂを前記複数のプリズム部２７の長さ方向に間隔をおいて形成し、さらに他の２つの縁部領域内にそれぞれ、前記２つの流れ止め部２９ａ，２９ｂにそれぞれ連通する２つの液状物受け入れ溝３０ａ，３０ｂを形成している。
【００４７】
このプリズムシート２５ａは、前記複数のプリズム部２７の両端側の２つの縁部領域内に、前記複数のプリズム部２７の長さ方向に間隔をおいて複数段に流れ止め部２９ａ，２９ｂを形成しているため、前記プリズムシート支持部４に支持された突出部２６ａに延長された各プリズム部２７，２７間の谷状部２８にその開放端から入り込んだ液状物３２の前記谷状部２８に沿った伝い流れをさらに効果的に防ぐことができる。
【００４８】
（第３の実施形態）
図９はこの発明の第３の実施例を示す第２のプリズムシートの一部分の拡大斜視図であり、このプリズムシート２５ｂは、前記複数のプリズム部２７の両端側の２つの縁部領域内にそれぞれ、これらの縁部領域の略全長にわたって、前記谷状部２８を閉塞する堰堤からなる流れ止め部３１を形成したものであり、他の構成は前記第１の実施例のプリズムシート２５と同じである。
【００４９】
この実施例のプリズムシート２５ｂにおいて、前記堰堤からなる流れ止め部（以下、流れ止め堤という）３１は、その両端が、前記流れ止め溝２９が形成された縁部領域に対して直交する２つの縁部領域の幅方向の中央部にそれぞれ位置する長さに、且つ前記流れ止め堤３１の頂部が前記複数のプリズム部２７の頂部と面一になる高さに形成されている。
【００５０】
このプリズムシート２５ｂは、前記複数のプリズム部２７の両端側の２つの縁部領域にそれぞれ前記流れ止め堤３１が形成されているため、前記隣合うプリズム部２７，２７間の谷状部２８にその開放端から入り込んだ液状物の前記谷状部２８に沿った伝い流れを防ぎ、前記プリズム部２７の屈折特性や透過率を維持することができる。
【００５１】
なお、この実施例のプリズムシート２５ｂにおいて、前記流れ止め堤３１は、前記流れ止め溝２９が形成された縁部領域の全長にわたって形成してもよく、さらに、前記流れ止め堤３１は、その頂部が前記複数のプリズム部２７の頂部よりも突出する高さに形成してもよい。
【００５２】
また、この実施例のプリズムシート２５ｂにおいて、前記流れ止め堤３１は、複数のプリズム部２７の両端側の２つの縁部領域内に、前記複数のプリズム部２７の長さ方向に間隔をおいて複数段に形成してもよく、このようにすることにより、前記谷状部２８にその開放端から入り込んだ液状物３２の前記谷状部２８に沿った伝い流れをさらに効果的に防ぐことができる。
【００５３】
（他の実施形態）
なお、上記各実施例のプリズムシート２５，２５ａ，２５ｂは、前記流れ止め溝２９，２９ａ，２９ｂまたは流れ止め堤３１を、前記複数のプリズム部２７の両端側の２つの縁部領域内にそれぞれ、これらの縁部領域の略全長にわたって形成したものであるが、前記流れ止め溝２９，２９ａ，２９ｂまたは流れ止め堤３１は、前記２つの端縁にそれぞれ形成された突出部２６ａに対応する部分に、前記突出部２６ａの幅以上の長さに形成してもよい。
【００５４】
また、上記各実施例のプリズムシート２５，２５ａ，２５ｂは、複数のプリズム部２７の両端側の２つの端縁にそれぞれ、前記プリズムシート支持部４に支持される突出部２６ａを形成したものであるが、前記突出部２６ａを省略し、前記複数のプリズム部２７の両端側の２つの端縁部をそれぞれ溝状または台状のプリズムシート支持部に支持させるようにしてもよく、その場合は、前記流れ止め溝２９，２９ａ，２９ｂまたは流れ止め堤３１を、前記複数のプリズム部２７の両端側の２つの縁部領域内にそれぞれ、これらの縁部領域の略全長にわたって形成すればよい。
【００５５】
さらに、上記各実施例のプリズムシート２５，２５ａ，２５ｂは、透明なシート状部材２６の一方の面に複数のプリズム部２７を形成したものであるが、この発明は、前記シート状部材２６の両面にそれぞれ凸条状の複数のプリズム部を形成したプリズムシートにも適用することができる。
【００５６】
その場合、前記両面の複数のプリズム部をそれぞれ、プリズムシート支持部に支持される側の２つの端縁間の方向に沿った互いに平行な凸条状に形成する場合は、前記シート状部材２６の両面にそれぞれ前記流れ止め溝２９，２９ａ，２９ｂまたは流れ止め堤３１を形成し、前記両面の複数のプリズム部を互いに直交する方向の凸条状に形成する場合は、プリズムシート支持部に支持される側の２つの端縁間の方向に沿ったプリズム部を形成した面に、前記流れ止め溝２９，２９ａ，２９ｂまたは流れ止め堤３１を形成すればよい。
【００５７】
また、図１に示した表示モジュールは、第１のプリズムシート２２の複数のプリズム部２４を、ハウジング本体２のプリズムシート支持部４に支持される縁部に対して直交する２つの端縁間の全長にわたって形成し、第２のプリズムシート２５の複数のプリズム部２７を、前記プリズムシート支持部４に支持される２つの端縁間の全長にわたって形成したものであるが、これと逆に、前記第１のプリズムシート２２の複数のプリズム部２４を、前記プリズムシート支持部４に支持される２つの端縁間の全長にわたって形成し、前記第２のプリズムシート２５の複数のプリズム部２７を、前記プリズムシート支持部４に支持される縁部に対して直交する２つの端縁間の全長にわたって形成してもよく、その場合は、前記第１のプリズムシート２２の複数のプリズム部２４の両端側の２つの縁部領域にそれぞれ、隣合う前記プリズム部２４，２４の間の谷状部にその開放端から入り込んだ液状物の前記谷状部に沿った伝い流れを阻止するための流れ止め部（流れ止め溝または流れ止め堤）を形成すればよい。
【００５８】
さらに、この発明は、前記表示モジュールに実装されるプリズムシートに限らず、他の光学装置に実装されるプリズムシートにも適用することができる。
【図面の簡単な説明】
【００５９】
【図１】この発明の第１の実施例を示すプリズムシートを備えた液晶表示モジュールの断面図。
【図２】前記液晶表示モジュールに実装された第１のプリズムシートの平面図。
【図３】前記液晶表示モジュールに実装された第２のプリズムシートの平面図。
【図４】前記第２のプリズムシートの一部分の拡大斜視図。
【図５】前記第２のプリズムシートのプリズムシート支持部に支持された部分の拡大平面図。
【図６】流れ止め部を有しない比較例のプリズムシートのプリズムシート支持部に支持された部分の拡大平面図。
【図７】この発明の第２の実施例を示す第２のプリズムシートの平面図。
【図８】第２の実施例の第２のプリズムシートの一部分の拡大斜視図。
【図９】この発明の第３の実施例を示す第２のプリズムシートの一部分の拡大斜視図。
【符号の説明】
【００６０】
１…表示モジュールのハウジング、４…プリズムシート支持部、６…液晶表示素子、１５…面光源、２２…第１のプリズムシート、２５，２５ａ，２５ｂ…第２のプリズムシート、２６…シート状部材、２６ａ…突出部、２７…プリズム部、２８…谷状部、２９，２９ａ，２９ｂ…流れ止め溝、３０，３０ａ，３０ｂ…液状物受け入れ溝、３１…流れ止め堤、２３…液状物。
【図１】
0005167800.tif 000002
【図２】
0005167800.tif 000003
【図３】
0005167800.tif 000004
【図４】
0005167800.tif 000005
【図５】
0005167800.tif 000006
【図６】
0005167800.tif 000007
【図７】
0005167800.tif 000008
【図８】
0005167800.tif 000009
【図９】
0005167800.tif 000010